(57)【要約】【課題】システムのデータバックアップおよび復旧が可能で、再起動を素早く行うことができる監視コントローラ、および監視コントローラ再起動方法を提供する。【解決手段】フラッシュメモリ３１２は、記憶領域を分割して独立的に扱う事が可能で、バックアップ領域３１２Ａからバックアップ領域３１２Ｇにかけての各領域に、ＳＲＡＭ３１１のオペレーティングシステム記憶領域３１１Ａから警報ログファイルオールド記憶領域３１１Ｇのそれぞれに対応した情報が複製されている。ＳＲＡＭ３１１には、フラッシュメモリ３１２へ各バックアップファイルが作成された日時等のファイル情報が各記憶領域内にバックアップリスト３１１Ｈとして保存される。【選択図】図３
2007264802.tif 000002
【特許請求の範囲】
【請求項１】
温度と湿度と接点の開閉とを認知するセンサと、
前記センサより発信された測定データと、前記測定データに基づく警報情報と、制御部を動作させるためのプログラムと、バックアップの内容を示すバックアップリストとを記憶する揮発性メモリと、
再起動後に前記揮発性メモリより前記測定データと前記警報情報と前記プログラムとをバックアップする不揮発性メモリと、
再起動時に前記バックアップリストと前記揮発性メモリに保存されたデータを参照することにより、不一致を確認し、不足分を前記不揮発性メモリより復旧する制御部とからなる監視コントローラ。
【請求項２】
温度と湿度と接点の開閉とを認知するセンサと、
前記センサより発信された測定データと、前記測定データに基づく警報情報およびメール送信情報と、制御部を動作させるためのオペレーティングシステム、プログラム、設定ファイルと、バックアップの内容を示すバックアップリストとを記憶する揮発性メモリと、
再起動後に前記揮発性メモリより前記測定データと前記警報情報と前記メール送信情報と前記オペレーティングシステムと前記プログラムと前記設定ファイルとをバックアップする不揮発性メモリと、
再起動時に前記バックアップリストと前記揮発性メモリに保存されたデータを参照することにより、不一致を確認し、不足分を前記不揮発性メモリより復旧する制御部とからなる監視コントローラ。
【請求項３】
温度と湿度と接点の開閉とを認知するセンサと、
前記センサより発信された温度および湿度履歴と、前記温度および湿度履歴に基づく警報情報およびメール送信情報と、制御部を動作させるためのオペレーティングシステム、プログラム、設定ファイルと、バックアップの内容を示すバックアップリストとを記憶する揮発性メモリと、
再起動後に前記揮発性メモリより前記温度および湿度履歴と前記警報情報と前記メール送信情報と前記オペレーティングシステムと前記プログラムと前記設定ファイルとをバックアップする不揮発性メモリと、
再起動時に前記バックアップリストと前記揮発性メモリに保存されたデータを参照することにより、不一致を確認し、不足分を前記不揮発性メモリより復旧する制御部とからなる監視コントローラ。
【請求項４】
前記制御部は、復旧後に復旧日時および復旧回数を前記不揮発性メモリにバックアップすることを特徴とする請求項１から３のいずれかに記載の監視コントローラ。
【請求項５】
前記制御部は、復旧後に前記揮発性メモリのオペレーティングシステム、プログラム、設定ファイルの変更分を前記不揮発性メモリにバックアップすることを特徴とする請求項２または３に記載の監視コントローラ。
【請求項６】
監視コントローラ内に設置された時計回路の信号と揮発性メモリに記憶された再起動設定時間を参照して再起動を実行する第１の工程と、
再起動後に、前記揮発性メモリに保存されたバックアップリストと前記揮発性メモリのタイムスタンプとを照合する第２の工程と、
前記タイムスタンプ中に不足がある場合に、不揮発性メモリに保存されたバックアップファイルから復旧する第３の工程とを有することを特徴とする監視コントローラ再起動方法。
【請求項７】
監視コントローラ内に設置された時計回路の信号と揮発性メモリに記憶された再起動設定時間を参照して再起動を実行する第１の工程と、
揮発性メモリに保存されたファイルのタイムスタンプと比較して、前記揮発性メモリに保存されたバックアップリスト中に更新がある場合に、不揮発性メモリにバックアップを実行する第２の工程と、
前記バックアップの内容を前記揮発性メモリに前記バックアップリストとして上書き保存する第３の工程とを有することを特徴とする監視コントローラ再起動方法。
【請求項８】
監視コントローラ内に設置された時計回路の信号と揮発性メモリに記憶された再起動設定時間を参照して再起動を実行する第１の工程と、
再起動後に、前記揮発性メモリに保存されたバックアップリストと前記揮発性メモリのタイムスタンプとを照合する第２の工程と、
前記タイムスタンプ中に不足がある場合に、不揮発性メモリに保存してあるバックアップファイルから復旧する第３の工程と、
前記タイムスタンプと比較して前記バックアップリスト中に更新がある場合に、前記不揮発性メモリにバックアップを実行する第４の工程と、
前記バックアップの内容を前記揮発性メモリに前記バックアップリストとして上書き保存する第５の工程とを有することを特徴とする監視コントローラ再起動方法。
【請求項９】
前記バックアップは、前記揮発性メモリに保存されたオペレーティングシステム、プログラム、設定ファイルについてその更新分を前記不揮発性メモリに追加して保存することを特徴とする請求項７または８に記載の監視コントローラ再起動方法。
【発明の詳細な説明】
【技術分野】
【０００１】
本発明は、温度、湿度、音声および接点動作を監視する監視コントローラに関し、特にシステムのデータバックアップおよび復旧が可能で、再起動を素早く行うことができる監視コントローラ、および監視コントローラ再起動方法に関する。
【背景技術】
【０００２】
従来の技術として、一つの住宅もしくは部屋のセキュリティを監視する防災感知器や防犯検知器が接続され、メッセージ等を表示可能な表示部を有する複数の住宅情報盤と、それらを管理する警報監視盤とを有する集合住宅監視システムにおいて、警報監視盤から住宅情報盤に向けて発信され電気的にラッチされることにより表示可能なメッセージや、住宅情報盤に接続された警報装置からの情報等を、停電後の復旧時に再現可能な遠隔監視システムがある（例えば特許文献１）。
【０００３】
この遠隔監視システムは、各住宅情報盤に不揮発性のメモリであるＥＥＰＲＯＭを搭載しており、メッセージを保存可能である。停電復旧後はＲＯＭやＲＡＭに記憶されたプログラムとともにＥＥＰＲＯＭのデータを読み込んで再起動することで、メッセージや警報装置からの情報等を再現可能である。
【特許文献１】特開平１０−２６９４８０号公報
【発明の開示】
【発明が解決しようとする課題】
【０００４】
しかし、従来の遠隔監視システムによると、ＥＥＰＲＯＭ等の不揮発性メモリを読み込んで再起動するため、揮発性メモリに比べ起動に時間を要するという問題がある。
【０００５】
従って、本発明の目的は、システムのデータバックアップおよび復旧が可能で、再起動を素早く行うことができる監視コントローラ、および監視コントローラ再起動方法を提供することにある。
【課題を解決するための手段】
【０００６】
（１）本発明は上記目的を達成するため、温度と湿度と接点の開閉とを認知するセンサと、前記センサより発信された測定データと、前記測定データに基づく警報情報と、制御部を動作させるためのプログラムと、バックアップの内容を示すバックアップリストとを記憶する揮発性メモリと、再起動後に前記揮発性メモリより前記測定データと前記警報情報と前記プログラムとをバックアップする不揮発性メモリと、再起動時に前記バックアップリストと前記揮発性メモリに保存されたデータを参照することにより、不一致を確認し、不足分を前記不揮発性メモリより復旧する制御部とからなる監視コントローラを提供する。
【０００７】
このような構成によれば、揮発性メモリが監視コントローラの動作に使用され、バックアップ用として不揮発性メモリを使用することにより、高速な動作および再起動が可能となり、同時に電源供給に左右されない不揮発性メモリによるデータのバックアップが可能となる。
【０００８】
（２）また、本発明は上記目的を達成するため、温度と湿度と接点の開閉とを認知するセンサと、前記センサより発信された測定データと、前記測定データに基づく警報情報およびメール送信情報と、制御部を動作させるためのオペレーティングシステム、プログラム、設定ファイルと、バックアップの内容を示すバックアップリストとを記憶する揮発性メモリと、再起動後に前記揮発性メモリより前記測定データと前記警報情報と前記メール送信情報と前記オペレーティングシステムと前記プログラムと前記設定ファイルとをバックアップする不揮発性メモリと、再起動時に前記バックアップリストと前記揮発性メモリに保存されたデータを参照することにより、不一致を確認し、不足分を前記不揮発性メモリより復旧する制御部とからなる監視コントローラを提供する。
【０００９】
このような構成によれば、（１）の効果に加え、各メモリ中のデータを分別して保存しているため、より詳細なデータバックアップ管理が可能となる。
【００１０】
（３）また、本発明は上記目的を達成するため、温度と湿度と接点の開閉とを認知するセンサと、前記センサより発信された温度および湿度履歴と、前記温度および湿度履歴に基づく警報情報およびメール送信情報と、制御部を動作させるためのオペレーティングシステム、プログラム、設定ファイルと、バックアップの内容を示すバックアップリストとを記憶する揮発性メモリと、再起動後に前記揮発性メモリより前記温度および湿度履歴と前記警報情報と前記メール送信情報と前記オペレーティングシステムと前記プログラムと前記設定ファイルとをバックアップする不揮発性メモリと、再起動時に前記バックアップリストと前記揮発性メモリに保存されたデータを参照することにより、不一致を確認し、不足分を前記不揮発性メモリより復旧する制御部とからなる監視コントローラを提供する。
【００１１】
このような構成によれば、（２）の効果に加え、温度および湿度等の測定データを保存およびバックアップしているため、より詳細な監視の分析が可能となる。
【００１２】
（４）また、本発明は上記目的を達成するため、監視コントローラ内に設置された時計回路の信号と揮発性メモリに記憶された再起動設定時間を参照して再起動を実行する第１の工程と、再起動後に、前記揮発性メモリに保存されたバックアップリストと前記揮発性メモリのタイムスタンプとを照合する第２の工程と、前記タイムスタンプ中に不足がある場合に、不揮発性メモリに保存されたバックアップファイルから復旧する第３の工程とを有することを特徴とする監視コントローラ再起動方法を提供する。
【００１３】
このような方法によれば、定期的に自動で再起動されることにより、監視コントローラのメンテナンスが行われ常に安定した動作が実現できる。また、再起動の度に、不揮発性メモリに保存されたバックアップファイルを利用して復旧するため、データ保存の高い信頼性を実現できる。
【００１４】
（５）また、本発明は上記目的を達成するため、監視コントローラ内に設置された時計回路の信号と揮発性メモリに記憶された再起動設定時間を参照して再起動を実行する第１の工程と、揮発性メモリに保存されたファイルのタイムスタンプと比較して、前記揮発性メモリに保存されたバックアップリスト中に更新がある場合に、不揮発性メモリにバックアップを実行する第２の工程と、前記バックアップの内容を前記揮発性メモリに前記バックアップリストとして上書き保存する第３の工程とを有することを特徴とする監視コントローラ再起動方法を提供する。
【００１５】
このような方法によれば、再起動の度に定期的に、不揮発性メモリに揮発性メモリのバックアップを実行するため、不測の事態により揮発性メモリのデータが消えた場合もデータ損失の少ない復旧が可能となる。
【００１６】
（６）また、本発明は上記目的を達成するため、監視コントローラ内に設置された時計回路の信号と揮発性メモリに記憶された再起動設定時間を参照して再起動を実行する第１の工程と、再起動後に、前記揮発性メモリに保存されたバックアップリストと前記揮発性メモリのタイムスタンプとを照合する第２の工程と、前記タイムスタンプ中に不足がある場合に、不揮発性メモリに保存してあるバックアップファイルから復旧する第３の工程と、前記タイムスタンプと比較して前記バックアップリスト中に更新がある場合に、前記不揮発性メモリにバックアップを実行する第４の工程と、前記バックアップの内容を前記揮発性メモリに前記バックアップリストとして上書き保存する第５の工程とを有することを特徴とする監視コントローラ再起動方法を提供する。
【００１７】
このような方法によれば、（４）と（５）の効果を有する監視コントローラ再起動方法が可能となる。
【発明の効果】
【００１８】
本発明によれば、監視コントローラのデータバックアップおよび復旧が可能で、再起動を素早く行うことができる。
【発明を実施するための最良の形態】
【００１９】
〔第１の実施の形態〕
以下に、本発明の第１の実施の形態を図面を参考にして詳細に説明する。
【００２０】
（監視コントローラの構成）
図１は、本発明の第１の実施の形態に関する監視コントローラの構成を示す概略図である。
【００２１】
この監視コントローラ１は、内部にＣＰＵ（Ｃｅｎｔｒａｌ  Ｐｒｏｃｅｓｓｉｎｇ  Ｕｎｉｔ）等の制御部やＳＲＡＭ（Ｓｔａｔｉｃ  Ｒａｎｄｏｍ  Ａｃｃｅｓｓ  Ｍｅｍｏｒｙ）等の記憶媒体を有し外部との接続端子としてＬＡＮケーブル２０９が接続されたイーサネット（登録商標）端子２０４とＲＳ−２３２Ｃ端子２０７と入出力端子２００とを有するセンササーバ１０と、各センサと接続されてセンササーバ１０および認証キーソケットと電源と信号をともに送信可能な１−ＷＩＲＥ２０１および２０８により接続される接点ユニット１１と、音声ユニット付きの認証キーソケット１２と、ドアの開閉を検知する有線のドアセンサ１３と、窓の開閉を検知する有線の窓センサ１４と、各無線センサの信号を受信する無線受信部１５と、窓の開閉を検知する無線の窓センサ１６と、非常状態を送信するための無線の非常スイッチ１７とを有する。
【００２２】
センササーバ１０、接点ユニット１１、および認証キーソケット１２はそれぞれ電力供給および信号送信が可能な１−ＷＩＲＥ２０１、および２０８にて接続されている。ドアセンサ１３、窓センサ１４、窓センサ１６、および非常スイッチ１７が設置された設備は監視され、各センサからの異常信号は接点ユニット１１を介しセンササーバ１０に送信され、異常ログは内部の記憶装置に記録されて、ＬＡＮケーブル２０９を介して外部ネットワーク上の機器に情報送信が可能である。監視の実行、および解除は認証キーソケット１２に図示しない専用の認証キーを用いて照合することで変更可能である。
【００２３】
図２は、本発明の第１の実施の形態に関する監視コントローラの構成を示すブロック図である。
【００２４】
センササーバ１０は、信号入出力部２０と信号処理部３０とからなり、各部に共通して各信号回路を駆動する駆動回路３０１を含んだＣＰＵ等の電子部品からなる主制御部３００が設置される。
【００２５】
信号入出力部２０は、１−ＷＩＲＥ２０１により接点ユニット１１に接続される入出力端子２００と、イーサネット（登録商標）端子２０４と信号線２０３により接続されてイーサネット（登録商標）信号を処理するためのドライバ２０２と、ＲＳ−２３２Ｃ端子２０７と信号線２０６により接続されてＲＳ−２３２Ｃ信号を処理するためのＲＳ−２３２Ｃドライバ２０５とを有する。
【００２６】
信号処理部３０は、時刻信号を主制御部３００へ発信する時計回路３０２と、記憶部３１０を有する。記憶部３１０は、主制御部３００に接続され揮発性の記憶媒体であるＳＲＡＭ３１１と、ＳＲＡＭ３１１に接続され不揮発性の記憶媒体であるフラッシュメモリ３１２と、ＳＲＡＭ３１１に電力を供給する電源を監視する電源監視部３１３と、電力供給部４０からＳＲＡＭ３１１に電力供給されない場合に補助的に電力を供給するバックアップ電源３１４とから構成される。
【００２７】
接点ユニット１１は、Ｃｈ１からＣｈ８の８チャンネルからなる入出力部１１１を有する８ｃｈアドレススイッチ１１０を有し、各チャンネルからドアセンサ１３、窓センサ１４、および無線受信部１５に接続されている。
【００２８】
電力供給部４０は、ＡＣ１００Ｖを供給するコンセントに接続されるための電源コネクタ４００と、入力されるＡＣ電源のノイズを除去するノイズフィルタ４０１と、ＡＣ１００Ｖの電源をＤＣ５Ｖに変換するスイッチング電源部４０２と、ＤＣ５ＶをＤＣ３．２Ｖに降圧するレギュレータ回路４０３と、ＤＣ３．２ＶをＤＣ１．８Ｖに降圧するレギュレータ回路４０４とを有する。
【００２９】
また、電力供給部４０は、ＤＣ１．８Ｖ、３．２Ｖ、５Ｖの３種類の電圧を出力できるため、監視コントローラ１の各部の定格電圧に適した電力を供給可能である。
【００３０】
（記憶領域の構成）
図３は、本発明の第１の実施の形態に関するＳＲＡＭおよびフラッシュメモリの記憶領域構成を示す概略図である。
【００３１】
ＳＲＡＭ３１１は、記憶領域を分割して独立的に扱う事が可能で各領域にそれぞれ、各プログラムを共通して操作しセンササーバ１０の各部を管理するオペレーティングシステム記憶領域３１１Ａと、センササーバ１０の各部を動作させるためのプログラム記憶領域３１１Ｂと、監視コントローラ１のユーザーによって設定可能なオペレーティングシステムおよびプログラムの設定を記憶する設定ファイル記憶領域３１１Ｃとを記憶している。
【００３２】
また、ＳＲＡＭ３１１の各領域に、監視コントローラ１において異常が発生した場合に管理者に送られるメールの履歴を記憶するメールログファイル記憶領域３１１Ｄと、メールログファイル記憶領域３１１Ｄの記憶領域を越えた場合に作成日時の古い物からオールドファイルとして保存されるメールログファイルオールド記憶領域３１１Ｅと、監視コントローラ１において発生した異常について詳細情報の履歴を記憶する警報ログファイル記憶領域３１１Ｆと、警報ログファイル記憶領域３１１Ｆの記憶領域を越えた場合に作成日時の古い物からオールドファイルとして保存される警報ログファイルオールド記憶領域３１１Ｇとを記憶している。
【００３３】
フラッシュメモリ３１２は、記憶領域を分割して独立的に扱う事が可能で、バックアップ領域３１２Ａからバックアップ領域３１２Ｇにかけての各領域に、ＳＲＡＭ３１１のオペレーティングシステム記憶領域３１１Ａから警報ログファイルオールド記憶領域３１１Ｇのそれぞれに対応した情報が複製されている。
【００３４】
ＳＲＡＭ３１１には、フラッシュメモリ３１２へ各バックアップファイルが作成された日時等のファイル情報が各記憶領域内にバックアップリスト３１１Ｈとして保存される。
【００３５】
（第１の実施の形態の動作）
以下に、本発明の第１の実施の形態における監視コントローラの動作を図１から図５を参照しつつ説明する。
【００３６】
図４は、本発明の第１の実施の形態に関するセンササーバの工場出荷時の再起動動作を示すフローチャートである。
【００３７】
まず、工場出荷状態ではゼロデータが記憶されているＳＲＡＭ３１１の記憶領域を分割し、オペレーティングシステム記憶領域３１１Ａにオペレーティングシステムを、プログラム記憶領域３１１Ｂにプログラムを、また設定ファイル記憶領域３１１Ｃにデフォルトの設定ファイルをインストールする（ｓ１０）。
【００３８】
次に、センササーバ１０を操作し、再起動する（ｓ１１）。センササーバ１０の主制御部３００は、ＳＲＡＭ３１１の各記憶領域に記憶されたバックアップリスト３１１Ｈを読み込み、バックアップリスト３１１Ｈ内のファイル作成時のタイムスタンプを参照する（ｓ１２）。
【００３９】
初期再起動の時点ではバックアップファイルは存在していないため、主制御部３００はバックアップリスト３１１Ｈを参照することにより、フラッシュメモリ３１２内にデータが存在していないことを認識する。認識した後、主制御部３００は、ＳＲＡＭ３１１内のデータをフラッシュメモリ３１２にコピーし、バックアップを実行する（ｓ１３）。
【００４０】
次に、主制御部３００は、ＳＲＡＭ３１１からフラッシュメモリ３１２へとバックアップされたデータのファイル名とデータ容量およびタイムスタンプを含むバックアップの詳細データをバックアップリスト３１１Ｈへ保存する（ｓ１４）。
【００４１】
図５は、本発明の第１の実施の形態に関するセンササーバの再起動動作を示すフローチャートである。
【００４２】
まず、主制御部３００は、ＳＲＡＭ３１１内の設定ファイル記憶領域３１１Ｃより再起動設定時間を読み込み、時計回路３０２が発信する時刻情報を参照する（ｓ２０）。設定時間になるまでは同動作を繰り返し（ｓ２０；ＮＯ）、設定時刻になったら（ｓ２０；ＹＥＳ）、センササーバ１０を再起動する（ｓ２１）。
【００４３】
次に、主制御部３００は、バックアップリスト３１１Ｈを参照し（ｓ２２）、ＳＲＡＭ３１１に保存された各ファイルのタイムスタンプと照合する（ｓ２３）。バックアップリスト３１１Ｈとタイムスタンプに不一致がある場合（ｓ２４；ＹＥＳ）、まず、フラッシュメモリ３１２にバックアップされているにも関わらず、ある不具合でＳＲＡＭ３１１内から消えてしまったファイルを復元する（ｓ２５）。
【００４４】
次に、バックアップリスト３１１Ｈとタイムスタンプに不一致がない場合（ｓ２４；ＮＯ）、もしくはｓ２５を実行後、前回のバックアップ以降に更新保存、追加および削除等の動作により新規で変更されたデータをＳＲＡＭ３１１からフラッシュメモリ３１２へバックアップする（ｓ２６）。この時、オペレーティングシステム記憶領域３１１Ａ、プログラム記憶領域３１１Ｂ、および設定ファイル記憶領域３１１Ｃに関しては変更分のみ新たにバックアップし、その他のファイルについてはすべてのファイルをフラッシュメモリ３１２へバックアップする。次に、ｓ２６において行われたバックアップ動作に基づくバックアップリストを作成し、バックアップリスト３１１Ｈを更新する（ｓ２７）。
【００４５】
（第１の実施の形態の効果）
上記した実施の形態によると、ＳＲＡＭ３１１に保存されたデータによりセンササーバ１０を動作させ、フラッシュメモリ３１２にバックアップデータを保存することにより、電源供給がストップする等の不測の事態により揮発型メモリであるＳＲＡＭ３１１のデータが消えてしまった場合にも復旧が可能である。
【００４６】
また、ＳＲＡＭ３１１は読み込み、および書き込みの動作が不揮発性メモリに比べて速いため、通常動作および再起動の処理速度が向上する。また、データ検証のためにバックアップリスト３１１ＨとＳＲＡＭ３１１内のヘッダ情報のみを参照しており、全データを読み込まないため、再起動に要する時間が短縮される。
【００４７】
また、定期的に再起動を行うことによりセンササーバ１０の主制御部３００内に設置される図示しない一時記憶メモリ等のメンテナンスを行うことができ、センササーバの動作安定性向上となる。
【００４８】
〔第２の実施の形態〕
（第２の実施の形態の構成）
図６は、本発明の第２の実施の形態に関するＳＲＡＭおよびフラッシュメモリの記憶領域構成を示す概略図である。なお、以下の説明において、第１の実施の形態と同一の構成および機能を有する部分については共通の符号を付している。
【００４９】
ＳＲＡＭ３１１は、各センサによって測定される温度や湿度等の測定情報を記憶する拡張ログファイル記憶領域３１１Ｉを有する。フラッシュメモリ３１２は、拡張ログファイル記憶領域３１１Ｉをバックアップして記憶するバックアップ領域３１２Ｉを有する。
【００５０】
拡張ログファイル記憶領域３１１Ｉのバックアップ動作は、更新分のみのバックアップではなく、ミラーリングにより行う。
【００５１】
拡張ログファイル記憶領域３１１Ｉは、それぞれ６４ＫＢの容量を有する１５の記憶領域に分割されており、１日あたりの温度、および湿度の測定データを例えば、６４ＫＢまでと設定することにより最大１５日分のログを保存可能である。なお、１から１５までナンバリングされた各記憶領域に、ログが順番に繰り返し保存され、最新の書き込み位置をポインタにより記憶することで常に最新の１５日分のログを保持可能である。
【００５２】
（第２の実施の形態の効果）
上記した実施の形態によると、第１の実施の形態の効果に加え、メールログファイルや警報ログファイルと同様に拡張ログを保存、およびバックアップ可能にしたことで、監視コントローラはセキュリティとしての監視だけでなく、データ測定が可能となるため、より詳細な監視体制を構築することが可能である。
【図面の簡単な説明】
【００５３】
【図１】本発明の第１の実施の形態に関する監視コントローラの構成を示す概略図である。
【図２】本発明の第１の実施の形態に関する監視コントローラの構成を示すブロック図である。
【図３】本発明の第１の実施の形態に関するＳＲＡＭおよびフラッシュメモリの記憶領域構成を示す概略図である。
【図４】本発明の第１の実施の形態に関するセンササーバの工場出荷時の再起動動作を示すフローチャートである。
【図５】本発明の第１の実施の形態に関するセンササーバの再起動動作を示すフローチャートである。
【図６】本発明の第２の実施の形態に関するＳＲＡＭおよびフラッシュメモリの記憶領域構成を示す概略図である。
【符号の説明】
【００５４】
１…監視コントローラ、１０…センササーバ、１１…接点ユニット、１２…認証キーソケット、１３…ドアセンサ、１４…窓センサ、１５…無線受信部、１６…窓センサ、１７…非常スイッチ、２０…信号入出力部、３０…信号処理部、４０…電力供給部、１１０…アドレススイッチ、１１１…入出力部、２００…入出力端子、２０１…１−ＷＩＲＥ、２０２…ドライバ、２０３…信号線、２０４…イーサネット（登録商標）端子、２０５…ドライバ、２０６…信号線、２０７…ＲＳ−２３２Ｃ端子、２０８…１−ＷＩＲＥ、２０９…ＬＡＮケーブル、３００…主制御部、３０１…駆動回路、３０２…時計回路、３１０…記憶部、３１１…ＳＲＡＭ、３１１Ａ…オペレーティングシステム記憶領域、３１１Ｂ…プログラム記憶領域、３１１Ｃ…設定ファイル記憶領域、３１１Ｄ…メールログファイル記憶領域、３１１Ｅ…メールログファイルオールド記憶領域、３１１Ｆ…警報ログファイル記憶領域、３１１Ｇ…警報ログファイルオールド記憶領域、３１１Ｈ…バックアップリスト、３１１Ｉ…拡張ログファイル記憶領域、３１２…フラッシュメモリ、３１２Ａ…バックアップ領域、３１２Ｇ…バックアップ領域、３１２Ｉ…バックアップ領域、３１３…電源監視部、３１４…バックアップ電源、４００…電源コネクタ、４０１…ノイズフィルタ、４０２…スイッチング電源部、４０３…レギュレータ回路、４０４…レギュレータ回路
【図１】
2007264802.tif 000003
【図２】
2007264802.tif 000004
【図３】
2007264802.tif 000005
【図４】
2007264802.tif 000006
【図５】
2007264802.tif 000007
【図６】
2007264802.tif 000008